(57)【要約】【課題】  骨頭ボールをステムの適切な嵌合位置に正確に打込むことができる操作性の向上された骨頭ボール打込み装置を提供する。【解決手段】  外筒体２内の打撃部材６を第１ばね７によって押圧し、外筒体２に保持される可動ヘッド４を打撃することによって、その打撃力を骨頭ボール２３に付与し、骨頭ボール２３をステム４６に正確に打込んで嵌合させる。【選択図】      図１
2016202560.tif 000002
【特許請求の範囲】
【請求項１】
骨頭ボール打込み装置において、
筒状の本体部と、
前記本体部の軸線方向一端部に、該本体部の軸線方向に移動自在に保持され、打込まれる骨頭ボールに当接する当接部を有する可動ヘッドと、
前記本体部の軸線方向他端部に装着され、該軸線方向他端部の開口を塞ぐ蓋体と、
前記本体部の前記可動ヘッドと前記蓋体との間に、該本体部の軸線方向に移動自在に収容され、前記可動ヘッドを打撃する打撃部材と、
前記本体部に収容される第１ばねであって、前記蓋体に支持される一端部と、前記打撃部材を前記蓋体から離反する方向に押圧する他端部とを有する第１ばねと、
前記本体部に収容される第２ばねであって、前記蓋体に支持される一端部と、前記可動ヘッドを前記蓋体から離反する方向に押圧する他端部とを有する第２ばねと、
前記本体部に設けられ、前記打撃部材を前記第１ばねが圧縮された予め定める打撃開始位置に係止する係止手段と、
前記係止手段の前記打撃部材に対する係止状態を解除するトリガー部材と、を含むことを特徴とする骨頭ボール打込み装置。
【請求項２】
前記本体部には、該本体部の軸線方向一端部から軸線方向他端部側に向かって延び、前記可動ヘッドの前記本体部に対する移動量を示す移動量表示部が設けられることを特徴とする請求項１に記載の骨頭ボール打込み装置。
【請求項３】
前記本体部に装着されるアタッチメントであって、該アタッチメントは、前記打込まれる骨頭ボールの軸線に平行に延在する延在部分と、前記打込まれる骨頭ボールが装着されているステムの装着部に当接するステムテーパ把持部分と、前記本体部の軸線方向に移動自在かつ軸線方向以外には移動しないように、前記本体部に係止するための係止部材と、前記本体部に設けられ、前記係止部材を受容する受容部とをさらに備えることを特徴とする請求項１または２に記載の骨頭ボール打込み装置。
【請求項４】
前記蓋体は、前記本体部の軸線方向に、変位可能に装着されていることを特徴とする請求項１〜３のうちのいずれか１つに記載の骨頭ボール打込み装置。
【請求項５】
前記本体部の外周面から突出し、前記係止手段およびトリガー部材が設けられる把持部を、さらに含むことを特徴とする請求項１〜４のうちのいずれか１つに記載の骨頭ボール打込み装置。
【請求項６】
前記可動ヘッドの前記本体部に対する移動量が所定の移動量に達した際に、前記トリガー部材による前記係止状態の解除を行う自動解除機構をさらに備えることを特徴とする、請求項１〜４のうちのいずれか１つに記載の骨頭ボール打込み装置。
【発明の詳細な説明】
【技術分野】
【０００１】
本発明は、人工関節用骨頭ボールを金属製のステムに嵌着するために、該骨頭ボールを一定の打撃力で打込むことができる骨頭ボール打込み装置に関する。
【背景技術】
【０００２】
典型的な従来技術は、たとえば特許文献１に記載されている。この従来技術では、セラミックス製の人工関節用骨頭ボール（以下、「骨頭ボール」と略記する）と金属製のステムとを結合するに際し、骨頭ボールに当接させる略半球状の凹部を有する打込治具が記載されている。
【０００３】
上記の打込治具は、前記凹部と、金属製ハンマーによって打撃される打撃面とを有し、凹部の少なくとも一部がポリアセタール樹脂、またはポリウレタン系のゴムなどの弾性体によって構成することによって、セラミックス製の骨頭ボールへの過度の打撃力を緩和し、骨頭ボールの破損を防止するように構成されている。
【先行技術文献】
【特許文献】
【０００４】
【特許文献１】特開平９−５５０号公報
【発明の概要】
【発明が解決しようとする課題】
【０００５】
前述の従来技術では、ハンマーによって打込治具の打撃面を打撃することによって、その打撃力が打込治具を介して骨頭ボールへ伝達されるので、手術中における骨頭ボールのステムへの嵌合状態がハンマーの構造、術者の操作などによってばらつきが生じ、骨頭ボールのステムへの深さ方向の嵌合位置や、骨頭ボールとステムとの嵌合力が異なってしまうという課題があった。またセラミックス製骨頭ボールの場合には、ハンマーによる過度の打撃により、ステムと接するセラミックス製骨頭ボールの面に亀裂が生じ、破損するというおそれもあった。そのため骨頭ボールへの打撃力を制御して、ステムの適切な嵌合位置に打込むことができる操作性の高い骨頭ボール打込み装置が所望されている。
【０００６】
本発明の目的は、骨頭ボールをステムの適切な嵌合位置に正確に打込み、骨頭ボールとステムとの嵌合力を制御できる、操作性の向上された骨頭ボール打込み装置を提供することである。
【課題を解決するための手段】
【０００７】
本発明は、骨頭ボール打込み装置において、
筒状の本体部と、
前記本体部の軸線方向一端部に、該本体部の軸線方向に移動自在に保持され、打込まれる骨頭ボールに当接する当接部を有する可動ヘッドと、
前記本体部の軸線方向他端部に装着され、該軸線方向他端部の開口を塞ぐ蓋体と、
前記本体部の前記可動ヘッドと前記蓋体との間に、該本体部の軸線方向に移動自在に収容され、前記可動ヘッドを打撃する打撃部材と、
前記本体部に収容される第１ばねであって、前記蓋体に支持される一端部と、前記打撃部材を前記蓋体から離反する方向に押圧する他端部とを有する第１ばねと、
前記本体部に収容される第２ばねであって、前記蓋体に支持される一端部と、前記可動ヘッドを前記蓋体から離反する方向に押圧する他端部とを有する第２ばねと、
前記本体部に設けられ、前記打撃部材を前記第１ばねが圧縮された予め定める打撃開始位置に係止する係止手段と、
前記係止手段の前記打撃部材に対する係止状態を解除するトリガー部材と、を含むことを特徴とする骨頭ボール打込み装置である。
【０００８】
また本発明は、前記本体部には、該本体部の軸線方向一端部から軸線方向他端部側に向かって延び、前記可動ヘッドの前記本体部に対する移動量を示す移動量表示部が設けられることを特徴とする。
【０００９】
また本発明は、前記本体部に装着されるアタッチメントであって、該アタッチメントは、前記打込まれる骨頭ボールの軸線に平行に延在する延在部分と、前記打込まれる骨頭ボールが装着されているステムの装着部に当接するステムテーパ把持部分と、前記本体部の軸線方向に移動自在かつ軸線方向以外には移動しないように、前記本体部に係止するための係止部材と、前記本体部に設けられ、前記係止部材を受容する受容部とをさらに備えることを特徴とする。
【００１０】
また本発明は、前記蓋体は、前記本体部の軸線方向に、変位可能に装着されていることを特徴とする。
【００１１】
また本発明は、前記本体部の外周面から突出し、前記係止手段およびトリガー部材が設けられる把持部を、さらに含むことを特徴とする。
【００１２】
また本発明は、前記把持部に換えて、前記可動ヘッドの前記本体部に対する移動量が所定の移動量に達した際に、前記トリガー部材による前記係止状態の解除を行う自動解除機構をさらに備えることを特徴とする。
【発明の効果】
【００１３】
本発明によれば、本体部の軸線方向一端部に可動ヘッドが移動自在に保持され、トリガー部材によって係止手段の打撃部材の係止状態が解除されると、第１ばねのばね力によって打撃部材が蓋体から離反する方向に押圧されて、可動ヘッドを打撃する。可動ヘッドの当接部に支持された骨頭ボールには、可動ヘッドから打撃力が伝わり、骨頭ボールを打撃することができる。
【００１４】
なお、第１ばねとしては、金属製のコイルばね以外にも、ゴムやエラストマーであっても良く、また、圧縮ガス（窒素ガス、空気など）を応用してもよい。
【００１５】
打撃部材は、本体部にその軸線方向に移動自在に収容されるので、一定の方向に可動ヘッドを打撃することができる。また可動ヘッドは、本体部の軸線方向一端部に移動自在に保持された状態で、第２ばねによって蓋体から離反する方向に押圧されるので、第２ばねのばね力によって可動ヘッドの当接部に骨頭ボールに弾発的に押当てた状態で、骨頭ボールに対して可動ヘッドから一定の打撃力を付与してステムに打込むことができる。これによって、術者の操作の違いなどに起因する打撃力のばらつきをなくして、高い操作性を実現し、骨頭ボールとステムとの嵌合力を制御し、骨頭ボールをステムに対して深さ方向に適切な嵌合位置に正確に打込むことが可能となる。
【００１６】
また本発明によれば、本体部に移動量表示部が設けられるので、第２ばねによる可動ヘッドの骨頭ボールへの押当て力の相違を確認することができ、これによって第２ばねによる可動ヘッドの骨頭ボールへの押当て力が一定となるように、該可動ヘッドの骨頭ボールへの押当て状態を容易に調整し、操作者による押当て状態のばらつきを少なくして、打撃力の大きさを一定にすることができる。
【００１７】
また本発明によれば、前記本体部に、前記打込まれる骨頭ボールおよび装着されているステムの装着部の軸線に沿うように当接するステムテーパ把持部分を備えたアタッチメントを本体部に装着し、軸線方向に移動自在かつ軸線方向以外には移動しないように取付けられるので、可動ヘッドの打撃動作方向を、打込まれる骨頭ボールおよび装着されているステムの装着部の軸線に一致させることを容易化することができる。
【００１８】
また本発明によれば、蓋体が本体部の軸線方向他端部に変位可能に装着されるので、第１ばねのばね力を調整することができる。
【００１９】
また本発明によれば、本体部には該本体部から突出する把持部が設けられるので、操作者は把持部を把持して、安定して骨頭ボールに可動ヘッドの当接部を押当て、トリガー部材を操作して骨頭ボールに打撃力を与えることができ、操作性を向上することができる。
【００２０】
また本発明によれば、係止状態の自動解除機構が設けられるので、操作者は本体部を把持して、骨頭ボールに可動ヘッドの当接部を押当てて所定の移動量、すなわち第２ばねによる可動ヘッドへの所定の負荷力を加えるだけで、自動解除機構が動作してトリガー部材による係止状態の解除が行われ、骨頭ボールに打撃力を与えることができるので、操作性を向上することができる。
【図面の簡単な説明】
【００２１】
【図１】本発明の一実施形態の骨頭ボール打込み装置１を示す断面図である。
【図２】骨頭ボール打込み装置１の使用状態を示す斜視図である。
【図３】図１の切断面線ＩＩＩ−ＩＩＩから見た断面図である。
【図４】図１の切断面面ＩＶ−ＩＶから見た拡大断面図である。
【図５】係止手段９の係止解除状態を示す断面図である。
【図６】本発明の他の実施形態の骨頭ボール打込み装置１ａを示す断面図である。
【図７】本発明の他の実施形態の骨頭ボール打込み装置１ｂに用いられるアタッチメント６０を示す斜視図である。
【図８】アタッチメント６０が取付けられた骨頭ボール打込み装置１ａの一部の拡大断面図である。
【発明を実施するための形態】
【００２２】
図１は本発明の一実施形態の骨頭ボール打込み装置１を示す断面図であり、図２は骨頭ボール打込み装置１の使用状態を示す斜視図である。図３は図１の切断面線ＩＩＩ−ＩＩＩから見た断面図であり、図４は図１の切断面面ＩＶ−ＩＶから見た拡大断面図である。
【００２３】
本実施形態の骨頭ボール打込み装置（以下、「打込み装置」と略記する場合がある）１は、本体部である外筒体２、内筒体３、可動ヘッド４、蓋体５、打撃部材６、第１ばね７、第２ばね８、係止手段９、トリガー部材１０および把持部１１を含む。
【００２４】
外筒体２は、直円筒状の金属から成り、その軸線Ｌ１と平行な案内長孔１５と、挿通孔１６とが形成される。金属としては、たとえば内径Ｄ１が３０ｍｍ以上５０ｍｍ以下、厚みＴ１が１．０ｍｍ以上２．５ｍｍ以下、長さＢ１が１００ｍｍ以上２５０ｍｍ以下のステンレス鋼が用いられる。
【００２５】
内筒体３は、外筒体２に該外筒体２の軸線Ｌ１と平行に、詳しくは同軸に収容され、直円筒状の金属から成る筒部１７と、筒部１７の軸線方向一端部とは反対側の軸線方向他端部の開口を塞ぐように、該軸線に垂直に設けられる略円板状の端壁部１９と、筒部１７内に軸線方向中央部よりも軸線方向一端部寄りに該軸線に垂直に設けられる略円板状のばね受け部２０とを有する。端壁部１９およびばね受け部２０もまた金属から成り、たとえば溶接によって筒部１７に接合される。金属としては、外筒体２と同様な金属、たとえばステンレス鋼が用いられる。
【００２６】
筒部１７は、たとえば内径Ｄ２が１０ｍｍ以上３０ｍｍ以下、厚みＴ２が１．０ｍｍ以上２．５ｍｍ以下、長さＢ２が１２０ｍｍ以上３００ｍｍ以下のステンレス鋼が用いられる。
【００２７】
可動ヘッド４は、外筒体２の軸線Ｌ１方向一端部に、該軸線Ｌ１方向に移動自在に保持される。このような可動ヘッド４は、円筒状の挿入溝２１と、円錐状の第１嵌合凹所２２とを有する。可動ヘッド４は、第１嵌合凹所２２を規定する内周面２４を有する当接部２５と、挿入溝２１が形成される保持部２６とを含んで構成される。保持部２６にはまた、第1嵌合凹所２２とは反対側に、内筒体３の筒部１７の軸線方向一端部および第２ばね８の一端部が嵌合する円柱状の第２嵌合凹所２７が形成される。可動ヘッド４の少なくとも内周面２４を含む一部、たとえば当接部２５は、略球状のセラミックス製の骨頭ボール２３よりも軟質の材料、たとえばＭＣナイロンから成る。本実施形態では、当接部２５および保持部２６が同一材料によって一体的に形成された構成を示している。
【００２８】
打撃部材６は、金属製の略円筒体から成り、第１係合凹所３０と、第２係合凹所３１と、案内突部３２とを有する。金属としては、たとえばステンレス鋼が用いられる。打撃部材６は、外筒体２に収容されるとともに、内筒体３の筒部１７が挿通され、軸線Ｌ１方向に移動自在とされ、可動ヘッド４を打撃するように構成される。
【００２９】
蓋体５は、外筒体２の軸線Ｌ１方向他端部に、該軸線Ｌ１方向他端部の開口を塞ぐように、ねじ部３４によって外筒体２に対して軸線Ｌ１方向に変位可能に装着される。この蓋体５は、金属、たとえばステンレス鋼から成る。
【００３０】
第１ばね７は、外筒体２に収容され、蓋体５に支持される一端部５ａと、打撃部材６を蓋体５から離反する方向である矢符Ａ１方向に押圧する他端部５ｂとを有する圧縮コイルばねから成る。
【００３１】
第２ばね８は、内筒体３に収容され、内筒体３のばね受け部２０に支持される一端部８ａと、内筒体３の軸線方向一端部から突出し、可動ヘッド４を蓋体５から離反する方向である矢符Ａ１方向に押圧する他端部８ｂとを有する圧縮コイルばねから成る。内筒体３の軸線方向他端部は、蓋体５に固定または支持され、これによって第２ばね８はばね受け部２０、筒部１７および端壁部１９を介して蓋体５に支持される。
【００３２】
係止手段９は、係止部材３６と第３ばね３７とを含む。係止部材３６は、軸線Ｌ１を含む仮想一平面で切断した断面が台形状の金属製の板体から成り、上辺部３８が第１係合凹所３０に係合して打撃部材６の矢符Ａ１方向への移動を阻止するように構成される。係止部材３６の下辺部３９には、第３ばね３７の一端部が当接し、第３ばね３７は、把持部１１によって支持される。係止部材３６の矢符Ａ１方向の下流側は、斜辺部４０とされ、トリガー部材１０のテーパ部４１が摺動可能に接触している。
【００３３】
トリガー部材１０は、テーパ部４１を操作方向である矢符Ｃ方向に向けて軸線Ｌ１と平行に移動可能に把持部１１によって保持される。外筒体２の軸線Ｌ１方向一端部の外周部には、軸線Ｌ１方向に長手の板状体から成る移動量表示部４５が、少なくとも一部が可動ヘッド４の保持部２６の薄肉状の外周部分２６ａによって覆われた状態で設けられる。この移動量表示部４５は、たとえば外筒体２の外周面に押込み力Ｘを１０段階で示す数値（１，２，…，９，１０）を刻印し、あるいは目盛を刻設して、可動ヘッド４から露出する部分によって表示させるように構成されてもよい。
【００３４】
次に、操作方法について述べる。打撃部材６の案内突部３２を矢符Ａ２方向に引き、第１係合凹所３０に係止部材３６の上辺部３８を引っ掛けることで、打撃部材６を保持し、第１ばね７のばね力による運動エネルギＵを持たす。打撃部材６のばね力による運動エネルギＵは、
Ｕ＝（１／２）×第１ばね７のばね定数×伸び２             …（１）
である。
【００３５】
次に、可動ヘッド４の当接部２５の内周面２４に骨頭ボール２３を接触させた状態で押込み、移動量表示部４５に押込み力Ｘを表示させる。移動量表示部４５によって示される押込み力Ｘは、
Ｘ＝第２ばね８のばね定数×伸び                          …（２）
である。
【００３６】
任意の押込み位置で、トリガー部材１０を矢符Ｃ方向へ引き、係止部材３６を矢符Ｅ方向に下げる。係止部材３６が打撃部材６から外れ、打撃部材６が矢符Ａ１方向へ動き、可動ヘッド４に接触し、骨頭ボール２３に衝撃エネルギＹを与える。衝撃エネルギＹは、
Ｙ＝Ｕ−Ｕ´                                            …（３）
（Ｕ´：衝撃時に器具を把持する持ち手に掛かる反力による運動エネルギ吸収分）
によって示される。
【００３７】
上記の押込み力Ｘを調整し、反力による運動エネルギ吸収分Ｕ´をより小さくすることで、一定の衝撃荷重をもって骨頭ボール２３を打撃し、ステム４６に嵌合させることができる。
【００３８】
図５は係止手段９の係止解除状態を示す断面図である。本実施形態の打込み装置１によれば、外筒体２の軸線方向一端部に可動ヘッド４が移動自在に保持され、トリガー部材１０によって係止手段９の打撃部材６の係止状態が解除されると、第１ばね７のばね力によって打撃部材６が蓋体５から離反する方向に押圧されて、可動ヘッド４を打撃する。可動ヘッド４の当接部２５に支持された骨頭ボール２３には、可動ヘッド４から打撃が伝わり、骨頭ボール２３を打撃することができる。
【００３９】
打撃部材６は、外筒体２内にその軸線方向に移動自在に収容されるので、一定の方向に可動ヘッド４を打撃することができる。また可動ヘッド４は、外筒体２の軸線方向一端部に移動自在に保持された状態で、第２ばね８によって蓋体５から離反する方向に押圧されるので、第２ばね８のばね力によって可動ヘッド４の当接部２５に骨頭ボール２３に弾発的に押当てた状態で、骨頭ボール２３に対して可動ヘッド４から一定の打撃力を付与してステム４６に打込むことができる。これによって、術者の操作の違いなどに起因する打撃力の大きさおよび方向のばらつきをなくして、高い操作性を実現し、骨頭ボール２３をステム４６に対して適切な深さ方向の嵌合位置に正確に打込むことが可能となる。
【００４０】
また、外筒体２に移動量表示部４５が設けられるので、第２ばね８による可動ヘッド４の骨頭ボール２３への押当て力の相違を確認することができ、これによって第２ばね８による可動ヘッド４の骨頭ボール２３への押当て力が一定となるように、該可動ヘッド４の骨頭ボール２３への押当て状態を容易に調整し、操作者による押当て状態のばらつきを少なくして、打撃力の大きさを一定にすることができる。
【００４１】
また、可動ヘッド４が骨頭ボール２３よりも軟質の材料から成るので、可動ヘッド４による骨頭ボール２３の損傷を防ぐことができる。
【００４２】
また、蓋体５が外筒体２の軸線方向他端部にねじ部３４によって変位可能に装着されるので、第１ばね７のばね力を調整することができる。また蓋体５は、ねじ部３４によって外筒体２に着脱可能に構成されることによって、外筒体２から内筒体３、打撃部材６、第２ばね８を取出し、これらを個別に洗浄し、あるいは滅菌処理などを行うことができ、メンテナンス性を向上することができる。
【００４３】
また、外筒体２から突出する把持部１１が設けられるので、操作者は把持部１１を把持して、安定して骨頭ボール２３に可動ヘッド４の当接部２５を押当て、トリガー部材１０を操作して骨頭ボール２３に打撃力を与えることができ、操作性を向上することができる。
【００４４】
図６は、本発明の他の実施形態の骨頭ボール打込み装置１ａを示す断面図である。なお、前述の実施形態と対応する部分には、同一の参照符を付す。本実施形態では、可動部４の保持部２６に自動解除機構を構成する押し棒１０ａの一端部１０ａ１が取り付けられ、本体部である外筒体２には押し棒１０ａのガイド部６０が取り付けられ、係止手段９ａの係止状態を解除するトリガー部材として、自動解除機構の押し棒１０ａの他端部１０ａ２が取り付けられている。これらの一端部１０ａ１と他端部１０ａ２とは、棒状部１０ａ３によって連結される。
【００４５】
先の実施形態と同様に、可動ヘッド４を骨頭ボール２３へ押当てるが、押当て力を徐々に上げて、所定の位置まで可動ヘッド４が外筒体２側に移動すると、自動解除機構の押し棒１０ａの他端部１０ａ２が係止手段９ａを動かして係止状態を解除し、骨頭ボール２３に打撃力を与えることができる。このように、本実施形態によると、操作者は前述のトリガー部材１０を手指にて操作する必要がなく、操作性を向上することができる。
また、係止状態を解除する可動ヘッド４の位置を変更できるように、押し棒１０ａの長さは調整可能とすることが好ましい。
【００４６】
図７は本発明の他の実施形態の骨頭ボール打込み装置１ｂに用いられるアタッチメント６０を示す斜視図であり、図８はアタッチメント６０が取付けられた骨頭ボール打込み装置１ｂの一部の拡大断面図である。なお、前述の実施形態と対応する部分には、同一の参照符を付す。本実施形態の骨頭ボール打込み装置１ｂは、前述の実施形態の骨頭ボール打込み装置１と同様な構成に加えて、本体部である外筒体２の軸線Ｌ１方向の可動ヘッド４寄りの一端部に装着されるアタッチメント６０を含んで構成される。
【００４７】
アタッチメント６０は、打込まれる骨頭ボール２３の軸線に平行に延在する延在部分６１と、打込まれる骨頭ボール２３が装着されているステム４６の装着部である円錐台状のネック部４６ａに当接するステムテーパ把持部６２と、外筒体２の前記一端部に、該外筒体２の軸線Ｌ１方向に移動自在かつ軸線Ｌ１方向以外には移動しないように、該外筒体２に係止するための係止部材であるロックボルト６３と、外筒体２の軸線Ｌ１方向一端部にたとえば溶接によって固定され、ロックボルト６３の軸部が螺合して受容されるねじ孔６４を有する受容部６５とを有する。
【００４８】
ステムテーパ把持部６２は、逆Ｕ字状の基部６６と、基部６６の内面にたとえば接着剤によって貼付けられる逆Ｕ字状の保護カバー部６７とを有する。保護カバー部６７の内周面は、ステム４６のネック部４６ａのテーパ面に対応した円錐台の周面の一部を成し、サイズの異なるステム４６に応じて、保護カバー部６７だけを交換するように構成されてもよい。
【００４９】
基部６６は、前述の延在部分６１の長手方向一端部に一体に形成される。基部６６および延在部分６１は、たとえばステンレス鋼から成る。保護カバー部６７は、ステム４６よりも軟質材料、たとえば合成樹脂から成り、ステム４６が基部６６に直接接触しないようにして、ステム４６の接触による損傷を防止している。
【００５０】
延在部分６１には、その長手方向に沿って平行に延びる一対の案内溝６９ａ，６９ｂと、各案内溝６９ａ，６９ｂの間で各案内溝６９ａ，６９ｂと平行に延びる案内長孔７０とが形成される。また、受容部６５は、外筒体２の外周面に固定される湾曲した板状のベース部７１と、ベース部７１の一方主面から立上がる一対の逆Ｌ字状断面を有し、互いに近接する方向に突出する嵌合部分７２ａ，７２ｂを有する嵌合片７３ａ，７３ｂとを備える。このような受容部６５もまた、たとえばステンレス鋼から成る。
【００５１】
各嵌合部分７２ａ，７２ｂは、各案内溝６９ａ，６９ｂに嵌合する。案内長孔７０には、ロックボルト６３の軸部が挿通し、この軸部の先端部はねじ孔６４に螺着される。ロックボルト６３を受容部６５との螺合を緩めた状態では、延在部分６１の各案内溝６９ａ，６９ｂを規定する表面と、各嵌合部分７２ａ，７２ｂの該案内溝６９ａ，６９ｂを規定する表面に対向する表面との密着状態、すなわち摩擦接合状態が解除されるので、延在部分６１を受容部６５、したがって外筒体２に対して軸線Ｌ１に沿って矢符Ａ１，Ａ２方向に移動自在とすることができる。
【００５２】
このようなアタッチメント６０を備える骨頭ボール打込み装置１ｂによって、ステム４６に装着された打込み前の骨頭ボール２３の軸線と、打込み装置本体の軸線方向、すなわち可動ヘッド４の可動方向を一致させることができ、これによって打撃時に打撃方向のずれによる打撃力のばらつきをなくし、適切な一定の打撃力で、骨頭ボール２３をステム４６に打撃して正確に打込むことができる。
【００５３】
前述の各実施形態では、第１ばね７が金属製の圧縮コイルばねによって実現されたが、本発明の他の実施形態では、圧縮ガスを利用したガススプリングであってもよく、あるいはゴムやエストラマーであってもよく、さらには電磁プランジャなどの電磁石の磁力によって可動ヘッド４を打撃する構成であってもよい。このような構成を採用した場合にも、前述の実施形態と同様な効果を奏することができる。
【符号の説明】
【００５４】
１  骨頭ボール打込み装置
２  外筒体
３  内筒体
４  可動ヘッド
５  蓋体
６  打撃部材
７  第１ばね
８  第２ばね
９  係止手段
１０  トリガー部材
１１  把持部
【図１】
2016202560.tif 000003
【図２】
2016202560.tif 000004
【図３】
2016202560.tif 000005
【図４】
2016202560.tif 000006
【図５】
2016202560.tif 000007
【図６】
2016202560.tif 000008
【図７】
2016202560.tif 000009
【図８】
2016202560.tif 000010